(57)【要約】【課題】複数のシートのそれぞれにおける個別空調を可能とするとともに、設置スペースの省スペース化を図ることのできる車両用空気調和装置を提供する。【解決手段】熱媒体回路２０には、複数の空調ユニット１０の冷媒回路１２が接続されている。これにより、複数の空調ユニット１０を車室内のみに設置するとともに、１つの熱媒体回路２０のみを車室内と車室外とにわたって設置することで車両用空気調和装置１を構成することができるので、車両用空気調和装置１の設置スペースの省スペース化を図ることが可能となる。【選択図】図１
2019166972.tif 000002
【特許請求の範囲】
【請求項１】
車両における対象物を加熱または冷却する利用側熱交換器と、利用側熱交換器において放出した熱の吸収または吸収した熱の排出を行う吸排熱側熱交換器と、が接続された冷媒回路と、
吸排熱側熱交換器において冷媒と熱交換する熱媒体が流通し、熱媒体と車室外の空気とを熱交換させる室外熱交換器が接続された熱媒体回路と、を備え、
熱媒体回路には、複数の冷媒回路が接続されている
車両用空気調和装置。
【請求項２】
冷媒回路には、複数の利用側熱交換器が互いに直列に接続されている
請求項１に記載の車両用空気調和装置。
【請求項３】
冷媒回路は、利用側熱交換器を、放熱器として機能させる暖房運転用の冷媒流路または吸熱器として機能させる冷房運転用の冷媒流路に切り替える流路切替手段を有している
請求項１または２に記載の車両用空気調和装置。
【請求項４】
複数の利用側熱交換器のうち、冷媒流通方向の上流側に位置する利用側熱交換器は、下流側に位置する利用側熱交換器において加熱または冷却される対象物の温度よりも高い温度に対象物を加熱または冷却する
請求項２または３に記載の車両用空気調和装置。
【請求項５】
熱媒体回路には、熱媒体回路を流通する熱媒体を加熱する加熱ヒータが設けられている
請求項１乃至４のいずれかに記載の車両用空気調和装置。
【請求項６】
熱媒体回路には、車両を電動モータで駆動させる際に電力を供給するバッテリを冷却するための冷却回路が接続されている
請求項１乃至５のいずれかに記載の車両用空気調和装置。
【発明の詳細な説明】
【技術分野】
【０００１】
本発明は、例えば、車両の車室内の冷房または暖房を行う車両用空気調和装置に関するものである。
【背景技術】
【０００２】
従来、この種の車両用空気調和装置としては、圧縮機、車室内を加熱または冷却する室内熱交換器、及び、室内熱交換器において放出した熱の吸収または吸収した熱の放出を行う室外熱交換器と、が接続された冷媒回路を備えたものが知られている（例えば、特許文献１参照）。
【０００３】
前記車両用空気調和装置では、室側熱交換器が設置された車室内と室外熱交換器が設置された車室とにわたって冷媒回路が構成されている。
【先行技術文献】
【特許文献】
【０００４】
【特許文献１】特許第６１６７４１６号公報
【発明の概要】
【発明が解決しようとする課題】
【０００５】
車両用空気調和装置では、車室内に設けられた複数のシートのそれぞれにおいて、着座した乗員に向かって吹出す空気の温度の調整可能とする個別空調を行うことによって、シートに着座している乗員の快適性を向上させることが考えられている。
【０００６】
しかし、複数のシートのそれぞれにおける個別空調を可能とするためには、複数のシートのそれぞれに対して冷媒回路を構成することになり、車室内と車室外とにわたって複数の冷媒回路を構成することになるため、車両用空気調和装置を設置するために広い設置スペースが必要となる。
【０００７】
本発明の目的とするところは、複数のシートのそれぞれにおける個別空調を可能とするとともに、設置スペースの省スペース化を図ることのできる車両用空気調和装置を提供することにある。
【課題を解決するための手段】
【０００８】
本発明の車両用空気調和装置は、前記目的を達成するために、車両における対象物を加熱または冷却する利用側熱交換器と、利用側熱交換器において放出した熱の吸収または吸収した熱の排出を行う吸排熱側熱交換器と、が接続された冷媒回路と、吸排熱側熱交換器において冷媒と熱交換する熱媒体が流通し、熱媒体と車室外の空気とを熱交換させる室外熱交換器が接続された熱媒体回路と、を備え、熱媒体回路には、複数の冷媒回路が接続されている。
【０００９】
これにより、複数の冷媒回路のそれぞれの吸熱または排熱が１つの熱媒体回路によって実行されることから、複数の冷媒回路が車室内のみに設置され、１つの熱媒体回路のみが車室内と車室外とにわたって設置される。
【発明の効果】
【００１０】
本発明によれば、複数の冷媒回路を車室内のみに設置するとともに、１つの熱媒体回路のみを車室内と車室外とにわたって設置することで車両用空気調和装置を構成することができるので、複数のシートのそれぞれにおける個別空調を可能とするとともに、車両用空気調和装置の設置スペースの省スペース化を図ることが可能となる。
【図面の簡単な説明】
【００１１】
【図１】本発明の一実施形態を示す暖房運転中の車両用空気調和装置の概略構成図である。
【図２】冷房運転中の車両用空気調和装置の概略構成図である。
【図３】熱媒体回路のその他の例を示す車両用空気調和装置の概略構成図である。
【図４】熱媒体回路のその他の例を示す車両用空気調和装置の概略構成図である。
【発明を実施するための形態】
【００１２】
図１乃至図２は、本発明の一実施形態を示すものである。
【００１３】
本発明の車両用空気調和装置１は、乗員が着座するためのシートが車室内に複数配置された車両において、シート毎に着座した乗員に向かって冷却又は加熱した空気を吹き出させるとともに、それぞれのシートの表面温度の調整を行うものである。
【００１４】
車両用空気調和装置１は、図１に示すように、車室内における複数のシートのそれぞれの下部に設けられた複数の空調ユニット１０と、車室内と車室外とにわたって設置され、複数の空調ユニット１０が接続された熱媒体回路２０と、を備えている。
【００１５】
空調ユニット１０は、直方体形状を有するケース１１と、ケース１１内に設けられた冷媒回路１２と、を有している。
【００１６】
ケース１１には、内部に車室内に吹き出す空気を流通させるための通風路１１ａが形成されている。通風路１１ａには、車室内及び車室外の少なくとも一方の空気を通風路１１ａに流入させるための空気流入口１１ｂと、通風路１１ａを流通した空気を車室内に吹き出させるための空気流出口１１ｃと、が形成されている。また、通風路１１ａ内には、空気流入口１１ｂから空気流出口１１ｃに向かって空気を流通させるための送風機１３と、通風路１１ａを流通する空気を加熱または冷却するための後述する第１利用側熱交換器と、が配置されている。
【００１７】
冷媒回路１２は、吸入した冷媒を圧縮して吐出するための圧縮機１２ａと、通風路１１ａを流通する空気と冷媒とを熱交換するための第１利用側熱交換器１２ｂと、シートの内部に設置されたシート用熱媒体回路１４を流通する熱媒体と冷媒とを熱交換するための第２利用側熱交換器１２ｃと、熱媒体回路２０を流通する熱媒体と冷媒とを熱交換するための吸排熱側熱交換器１２ｄと、冷媒回路１２を流通する冷媒を減圧するための第１膨張弁１２ｅ及び第２膨張弁１２ｆと、暖房運転用の冷媒流路と冷房運転用の冷媒流路とを切り替えるための流路切替手段としての四方弁１２ｇと、を有している。
【００１８】
具体的に説明すると、圧縮機１２ａの冷媒吐出側及び冷媒吸入側には、四方弁１２ｇを介して第１利用側熱交換器１２ｂの一端側が接続されている。第１利用側熱交換器１２ｂの他端側には、第１膨張弁１２ｅを介して第２利用側熱交換器１２ｃの冷媒流路一端側が接続されている。第２利用側熱交換器１２ｃの冷媒流路他端側には、第２膨張弁１２ｆを介して吸排熱側熱交換器１２ｄの冷媒流路一端側が接続されている。吸排熱側熱交換器１２ｄの冷媒流路他端側には、四方弁１２ｇを介して圧縮機１２ａの冷媒吐出側及び冷媒吸入側が接続されている。
【００１９】
第１膨張弁１２ｅ及び第２膨張弁１２ｆは、それぞれ弁開度の調整が可能となっている。また、四方弁１２ｇは、第１乃至第４接続口ａ，ｂ，ｃ，ｄを有し、第１接続口ａと第２接続口ｂとを連通すると共に第３接続口ｃと第４接続口ｄとを連通する状態と、第１接続口ａと第３接続口ｃとを連通すると共に第２接続口ｂと第４接続口ｄとを連通する状態と、を切り替え可能である。
【００２０】
第２利用側熱交換器１２ｃの熱媒体流路には、シートの内部に組み込まれたシート用熱媒体回路１４が接続されている。シート用熱媒体回路１４には、エチレングリコール等の不凍液や水が熱媒体として封入されている。
【００２１】
熱媒体回路２０には、エチレングリコール等の不凍液や水が熱媒体として流通する流路が形成されており、複数の空調ユニット１０の冷媒回路１２の吸排熱側熱交換器１２ｄの熱媒体流路が互いに並列に接続されている。熱媒体回路２０には、内部に封入された熱媒体を循環させるための循環ポンプ２１と、車室外の空気と熱媒体とを熱交換するための室外熱交換器２２と、が接続されている。室外熱交換器２２は、車両のエンジンルーム等の車室外の空間に配置されている。また、室外熱交換器２２の近傍には、車室外の空気を室外熱交換器２２に向かって流通させるための室外送風機２２ａが設けられている。
【００２２】
以上のように構成された車両用空気調和装置１において、複数の空調ユニット１０では、それぞれ、圧縮機１２ａ及び送風機１３を駆動するとともに、第１膨張弁１２ｅ及び第２膨張弁１２ｆの弁開度と四方弁１２ｇの流路を設定することで、暖房運転と冷房運転とが切り替えられる。また、熱媒体回路２０では、循環ポンプ２１及び室外送風機２２ａを駆動することで、空調ユニット１０の吸排熱側熱交換器１２ｄに対して冷媒と熱交換する熱媒体が供給される。
【００２３】
空調ユニット１０において暖房運転を行う場合には、図１に示すように、第１膨張弁１２ｅの弁開度を全開に設定すると共に第２膨張弁１２ｆを所定の弁開度に設定し、四方弁１２ｇの第１接続口ａと第２接続口ｂとを連通すると共に第３接続口ｃと第４接続口ｄとを連通する状態とする。
【００２４】
これにより、圧縮機１２ａから吐出された冷媒は、第１利用側熱交換器１２ｂ及び第２利用側熱交換器１２ｃにおいて熱を放出し、吸排熱側熱交換器１２ｄにおいて熱を吸収する。
【００２５】
また、圧縮機１２ａから吐出された高温の冷媒は、まず、第１利用側熱交換器１２ｂにおいて放熱して温度が低下する。次に、第１利用側熱交換器１２ｂにおいて放熱して温度が低下した冷媒が、第２利用側熱交換器１２ｃにおいてさらに放熱する。
【００２６】
即ち、暖房運転時において車室内に吹き出される空気は、車室内の目標設定温度と比較して高温が求められるため、圧縮機１２ａから吐出された高温の冷媒と熱交換した空気が車室内に吹き出される。また、暖房運転時におけるシートは、乗員が接することになり、車室内の目標設定温度に対して著しく高温となる状態を避ける必要があるため、第１利用側熱交換器１２ｂにおいて放熱した後の冷媒と熱交換した熱媒体によってシートが加熱される。
【００２７】
また、空調ユニット１０において冷房運転を行う場合には、図２に示すように、第１膨張弁１２ｅの弁開度を所定の弁開度に設定すると共に第２膨張弁１２ｆの弁開度を第１膨張弁１２ｅの弁開度よりも大きい所定の弁開度に設定し、四方弁１２ｇの第１接続口ａと第３接続口ｃとを連通すると共に第２接続口ｂと第４接続口ｄとを連通する状態とする。
【００２８】
これにより、圧縮機１２ａから吐出された冷媒は、吸排熱側熱交換器１２ｄにおいて熱を排出し、第１利用側熱交換器１２ｂ及び第２利用側熱交換器１２ｃにおいて熱を吸収する。
【００２９】
また、吸排熱側熱交換器１２ｄから吐出した冷媒は、まず、第２膨張弁１２ｆを第１膨張弁１２ｅの弁開度よりも大きい所定の弁開度に設定することで、第２利用側熱交換器１２ｃにおける吸熱量が所定の吸熱量に制限される。次に、第２利用側熱交換器１２ｃから流出した冷媒は、第１膨張弁１２ｅを所定の弁開度に設定することで、第１利用側熱交換器１２ｂにおいて第２利用側熱交換器１２ｃよりも大きな吸熱量とする。
【００３０】
即ち、冷房運転時において車室内に吹き出される空気は、車室内の目標設定温度と比較して低温が求められるため、第２利用側熱交換器１２ｃよりも大きな吸熱量となる第１利用側熱交換器１２ｂにおいて冷媒と熱交換し、車室内に吹き出される。また、冷房運転時におけるシートは、乗員が接することになり、車室内の目標設定温度に対して著しく低温となる状態を避ける必要があるため、吸熱量が制限された第２利用側熱交換器１２ｃにおいて冷媒と熱交換した熱媒体によってシートが冷却される。
【００３１】
このように、本実施形態の車両用空気調和装置によれば、熱媒体回路２０には、複数の空調ユニット１０の冷媒回路１２が接続されている。
【００３２】
これにより、複数の空調ユニット１０を車室内のみに設置するとともに、１つの熱媒体回路２０のみを車室内と車室外とにわたって設置することで車両用空気調和装置１を構成することができるので、車両用空気調和装置１の設置スペースの省スペース化を図ることが可能となる。
【００３３】
また、冷媒回路１２には、複数の利用側熱交換器１２ｂ，１２ｃが互いに直列に接続されている。
【００３４】
これにより、利用側熱交換器１２ｂ，１２ｃのそれぞれにおいて対象物を互いに異なる温度となるように冷却または加熱することができるので、車室内における乗員の快適性を向上させることが可能となる。
【００３５】
また、冷媒回路１２は、利用側熱交換器１２ｂ，１２ｃを、放熱器として機能させる暖房運転用の冷媒流路または吸熱器として機能させる冷房運転用の冷媒流路に切り替える四方弁１２ｇを有している。
【００３６】
これにより、冷媒回路１２において、暖房運転及び冷房運転のそれぞれにおいて第１利用側熱交換器１２ｂ及び第２利用側熱交換器１２ｃによって対象物を加熱または冷却することが可能となるので、冷媒の流路を構成する管の使用量を低減することができ、製造コストの低減を図ることが可能となる。
【００３７】
また、複数の利用側熱交換器１２ｂ，１２ｃのうち、冷媒流通方向の上流側に位置する利用側熱交換器（暖房運転における第１利用側熱交換器１２ｂ、冷房運転における第２利用側熱交換器１２ｃ）は、下流側に位置する利用側熱交換器において加熱または冷却される対象物の温度よりも高い温度に対象物を加熱または冷却する。
【００３８】
これにより、暖房運転において高温が要求される空気を加熱する第１利用側熱交換器１２ｂと、冷房運転において過度な低温を避ける必要がある熱媒体を冷却する第２利用側熱交換器１２ｃと、を同一の冷媒回路１２によって構成することが可能となる。
【００３９】
尚、前記実施形態では、熱媒体回路２０を流通する熱媒体を、室外熱交換器２２において車室外の空気と熱交換させることによって、吸熱または放熱させるようにしたものを示したが、これに限られるものではない。流通する熱媒体の吸熱量が不足する状態を解消可能な熱媒体回路としては、例えば、図３に示すように、熱媒体回路２０を流通する熱媒体を電力によって加熱するため加熱ヒータ２３を、三方弁２４を介して、室外熱交換器２２と並列に接続してもよい。この場合には、熱媒体回路２０を流通する熱媒体を加熱ヒータ２３によって加熱することで冷媒回路１２において不足する熱量を補うことが可能となる。
【００４０】
また、車両がエンジン及び電動モータの一方または両方の駆動力によって走行するハイブリッド車両や、電動モータの駆動力で走行する電動車両等、走行用の電力を供給するためのバッテリを備えている場合には、図４に示すように、バッテリ２５を冷却するための冷却回路を熱媒体回路２０に接続してもよい。この場合には、バッテリ２５を冷却するための冷却回路を別途設ける必要がなく、熱媒体回路２０を流通する熱媒体によってバッテリ２５を冷却することが可能となる。また、バッテリ２５から排出される熱は、熱媒体回路２０を流通する熱媒体に吸熱させることによって、冷媒回路１２において不足する熱量を補うことが可能となる。
【００４１】
また、前記実施形態では、二つの利用側熱交換器１２ｂ，１２ｃを接続した冷媒回路１２を示したが、１つの利用側熱交換器を接続した冷媒回路に対しても、本発明を適用可能である。
【００４２】
また、前記実施形態では、冷媒回路１２に対して、第１利用側熱交換器１２ｂ及び第２利用側熱交換器１２ｃを互いに直列に接続し、加熱または冷却される対象物を互いに異なる温度とするようにしたものを示したが、これに限られるものではない。例えば、冷媒回路１２に対して、３以上の利用側熱交換器を互いに直列に接続し、加熱または冷却する対象物を互いに異なる温度とするようにしてもよい。
【００４３】
また、前記実施形態では、第１利用側熱交換器１２ｂによって車室内に吹き出す空気の温度を加熱または冷却し、第２利用側熱交換器１２ｃによってシート用熱媒体回路１４を流通する熱媒体を加熱または冷却するものを示したが、これに限られるものではない。例えば、第１利用側熱交換器１２ｂ及び第２利用側熱交換器１２ｃのそれぞれにおいて車室内に供給する空気を互いに異なる温度に加熱または冷却してもよい。また、第１利用側熱交換器１２ｂ及び第２利用側熱交換器１２ｃのそれぞれにおいて液体の熱媒体を互いに異なる温度に加熱または冷却してもよい。
【００４４】
また、前記実施形態では、四方弁１２ｇによって冷媒回路１２を、冷房運転用の冷媒流路または暖房運転用の冷媒流路に切り替えるようにしたものを示したが、これに限られるものではない。冷媒回路１２を、複数の開閉弁によって冷房運転用の冷媒流路または暖房運転用の冷媒流路に切り替えが可能となるように構成してもよい。
【００４５】
また、前記実施形態では、本発明を、暖房運転または冷房運転に切り替え可能な冷媒回路１２に適用したものを示したが、これに限られるものではない。例えば、暖房運転専用の冷媒回路や冷房運転専用の冷媒回路に対して、本発明を適用することも可能である。
【符号の説明】
【００４６】
１…車両用空気調和装置、１０…空調ユニット、１２…冷媒回路、１２ｂ…第１利用側熱交換器、１２ｃ…第２利用側熱交換器、１２ｄ…吸排熱側熱交換器、１２ｇ…四方弁、２０…熱媒体回路、２２…室外熱交換器、２３…加熱ヒータ、２５…バッテリ。
【図１】
2019166972.tif 000003
【図２】
2019166972.tif 000004
【図３】
2019166972.tif 000005
【図４】
2019166972.tif 000006